(57)【要約】【課題】シンプルな構成でありながら発光状態の演出自由度がある車両用灯具を提供すること。【解決手段】本発明の車両用灯具は、光の導光範囲の一部に設けられた光照射部を有する複数の導光部５１、６１、７１と、導光部５１、６１、７１のそれぞれの光入射部５２、６２、７２に対して光を入射させるように設けられた複数の発光チップ８２と、を備え、それぞれの光照射部は、正面視で、他の導光部の光照射部と重ならないように配置されている。【選択図】図２
2017004679.tif 000002
【特許請求の範囲】
【請求項１】
光の導光範囲の一部に設けられた光照射部を有する複数の導光部と、
前記導光部のそれぞれの光入射部に対して光を入射させるように設けられた複数の発光チップと、を備え、
それぞれの前記光照射部は、正面視で、他の前記導光部の前記光照射部と重ならないように配置されていることを特徴とする車両用灯具。
【請求項２】
複数の前記光照射部は、車両内側から車両外側に向かって、且つ、車両前後方向に並ぶように配置されており、
複数の前記発光チップは、車両内側に配置される前記光照射部に対応した前記発光チップから順番に車両外側に配置される前記光照射部に対応した前記発光チップが点灯するように制御され、
全ての前記発光チップが点灯した後に全ての前記発光チップを消灯するように制御されることを特徴とする請求項１に記載の車両用灯具。
【請求項３】
複数の前記導光部は、正面視で、少なくとも一部が重なるように配置されていることを特徴とする請求項１又は請求項２に記載の車両用灯具。
【請求項４】
複数の前記光照射部は、正面視で、水平方向の長さを１０としたとき、鉛直方向の長さが６以下となる縦横の比率からなることを特徴とする請求項１から請求項３のいずれか１項に記載の車両用灯具。
【請求項５】
複数の前記発光チップは、１つの基板上に配置されていることを特徴とする請求項１から請求項４のいずれか１項に記載の車両用灯具。
【請求項６】
隣接する前記導光部間を繋げるように前記導光部に一体形成された連結部を備え、
前記連結部が、前記導光部の前記光照射部でない部分に設けられていることを特徴とする請求項１から請求項５のいずれか１項に記載の車両用灯具。
【請求項７】
前記連結部は、前記光照射部が車両外側に配置される前記導光部の方が、前記光照射部が車両内側に配置される前記導光部よりも前記光入射部に近い位置に繋がるように形成されていることを特徴とする請求項６に記載の車両用灯具。
【請求項８】
複数の前記導光部を載置するベース部を備え、
複数の前記導光部が前記ベース部に固定されていることを特徴とする請求項１から請求項７のいずれか１項に記載の車両用灯具。
【請求項９】
複数の前記導光部は、車両前後方向で重なるように配置されていることを特徴とする請求項１から請求項８のいずれか１項に記載の車両用灯具。
【請求項１０】
複数の前記導光部は、前記光照射部以外の部分の長さがそれぞれ異なるように形成されており、
前記光照射部は、前記光照射部以外の部分と延在方向が異なるように形成されていることを特徴とする請求項１から請求項８のいずれか１項に記載の車両用灯具。
【発明の詳細な説明】
【技術分野】
【０００１】
本発明は車両用灯具に関するものである。
【背景技術】
【０００２】
発光ダイオード（以下、ＬＥＤという）を多数配置し、順次点灯あるいは消灯させることにより点灯部分が移動しているように見せる場合、ＬＥＤを多数個使用するため、コスト高になってしまうと共に、各ＬＥＤに二本ずつ配線が必要となり、配線が煩雑になってしまう不都合があることに鑑みて、特許文献１には、前記光源が設けられた支持体と、所定の軌跡に沿って前記支持体を移動可能に保持する保持部材と、前記支持体を移動させる駆動手段と、を備えることを特徴とする照明装置が開示されており、この照明装置を車両用灯具として用いる事例が記載されている。
【０００３】
このようにすると、光源を点灯させながら駆動手段によって支持体を移動させることで、光が走るように照明（演出）することが可能であり、多数のＬＥＤを点滅制御して光を走らせるよう照明するものと比較して、光源が少数で済み、配線も簡単になるとともに、多数のＬＥＤを点滅制御するものと比較して制御も簡略化できることが開示されている。
【０００４】
また、特許文献１では、上記の構成からなる照明装置に、さらに、前記支持体に設けられ、当該支持体の移動方向に光源の光を分散させて、当該移動方向の全域あるいは一部から照射させる導光板を備えるようにした構成の照明装置も開示されている。
【０００５】
このようにすることで、導光板によって光源の光が、光源（支持体）の移動方向の全域あるいは一部に分散して照射されるため、様々な演出が可能となることが記載されており、より具体的には、光源（支持体）の移動時に光源の移動方向後方側に光が分散して照射されるようにすることによって、光の残像が見えているような演出を行うことができることが記載されている。
【先行技術文献】
【特許文献】
【０００６】
【特許文献１】特開２００７―３２９１０１号公報
【発明の概要】
【発明が解決しようとする課題】
【０００７】
しかしながら、特許文献１のような構成の場合、光源を移動させる構成などが必要であり、依然として、構成自体が複雑である。
本発明は、このような事情に鑑みなされたものであり、シンプルな構成でありながら発光状態の演出自由度がある車両用灯具を提供することを目的とする。
【課題を解決するための手段】
【０００８】
本発明は、上記目的を達成するために以下の構成によって把握される。
（１）本発明の車両用灯具は、光の導光範囲の一部に設けられた光照射部を有する複数の導光部と、前記導光部のそれぞれの光入射部に対して光を入射させるように設けられた複数の発光チップと、を備え、それぞれの前記光照射部は、正面視で、他の前記導光部の前記光照射部と重ならないように配置されている。
（２）上記（１）の構成において、複数の前記光照射部は、車両内側から車両外側に向かって、且つ、車両前後方向に並ぶように配置されており、複数の前記発光チップは、車両内側に配置される前記光照射部に対応した前記発光チップから順番に車両外側に配置される前記光照射部に対応した前記発光チップが点灯するように制御され、全ての前記発光チップが点灯した後に全ての前記発光チップを消灯するように制御される。
（３）上記（１）又は（２）の構成において、複数の前記導光部は、正面視で、少なくとも一部が重なるように配置されている。
（４）上記（１）から（３）のいずれか１つの構成において、複数の前記光照射部は、正面視で、水平方向の長さを１０としたとき、鉛直方向の長さが６以下となる縦横の比率からなる。
（５）上記（１）から（４）のいずれか１つの構成において、複数の前記発光チップは、１つの基板上に配置されている。
（６）上記（１）から（５）のいずれか１つの構成において、隣接する前記導光部間を繋げるように前記導光部に一体形成された連結部を備え、前記連結部が、前記導光部の前記光照射部でない部分に設けられている。
（７）上記（６）の構成において、前記連結部は、前記光照射部が車両外側に配置される前記導光部の方が、前記光照射部が車両内側に配置される前記導光部よりも前記光入射部に近い位置に繋がるように形成されている。
（８）上記（１）から（７）のいずれか１つの構成において、複数の前記導光部を載置するベース部を備え、複数の前記導光部が前記ベース部に固定されている。
（９）上記（１）から（８）のいずれか１つの構成において、複数の前記導光部は、車両前後方向で重なるように配置されている。
（１０）上記（１）から（８）のいずれか１つの構成において、複数の前記導光部は、前記光照射部以外の部分の長さがそれぞれ異なるように形成されており、前記光照射部は、前記光照射部以外の部分と延在方向が異なるように形成されている。
【発明の効果】
【０００９】
本発明によれば、シンプルな構成でありながら発光状態の演出自由度がある車両用灯具を提供することができる。
【図面の簡単な説明】
【００１０】
【図１】本発明に係る実施形態の車両用灯具を備えた車両の平面図である。
【図２】本発明に係る第１実施形態の車両用灯具を正面から見た正面図である。
【図３】本発明に係る第１実施形態の灯具ユニットを上から見た上面図である。
【図４】図３のＡ−Ａ線断面図である。
【図５】本発明に係る第１実施形態の灯具ユニットの発光制御を説明するための図であり、（ａ）は車両内側の光照射部を発光させた状態を示す図であり、（ｂ）は２番目に車両内側に位置する光照射部をさらに発光させた状態を示す図であり、（ｃ）は全ての光照射部を発光させた状態を示す図である。
【図６】図５で説明する発光制御の状態がターンランプに適するものであることを説明する図である。
【図７】本発明に係る第１実施形態の灯具ユニットの光照射部の配置範囲を説明する図である。
【図８】本発明に係る第１実施形態の導光部材の変形例を説明する図である。
【図９】本発明に係る第２実施形態の車両用灯具を正面から見た正面図である。
【図１０】本発明に係る第２実施形態の灯具ユニットの要部を説明する図であり、（ａ）は灯具ユニットの要部を上から見た上面図であり、（ｂ）は（ａ）のＢ−Ｂ線断面図であり、（ｃ）は灯具ユニットの要部を正面から見た正面図である。
【図１１】本発明に係る第２実施形態の灯具ユニットの発光制御を説明するための図であり、（ａ）は車両内側の光照射部を発光させた状態を示す図であり、（ｂ）は２番目に車両内側に位置する光照射部をさらに発光させた状態を示す図であり、（ｃ）は全ての光照射部を発光させた状態を示す図であり、（ｄ）は全ての光照射部が発光していない状態を示す図である。
【図１２】本発明に係る第２実施形態の灯具ユニットの光照射部の配置範囲を説明する図である。
【発明を実施するための形態】
【００１１】
以下、添付図面を参照して、本発明を実施するための形態（以下、「実施形態」と称する）について詳細に説明する。実施形態の説明の全体を通して同じ要素には同じ番号を付している。また、実施形態及び図中において、特に断りがない場合、「前」、「後」は、各々、車両の「前進方向」、「後進方向」を示し、「上」、「下」、「左」、「右」は、各々、車両に乗車する運転者から見た方向を示す。
【００１２】
（第１実施形態）
本発明の実施形態に係る車両用灯具は、例えば、図１に示す車両１０２の前方の左右のそれぞれに設けられる車両用前照灯（１０１Ｒ、１０１Ｌ）である。
図２は、車両１０２の前方の左側の車両用前照灯１０１Ｌを示した図である。
なお、前方の右側の車両用前照灯１０１Ｒは、前方の左側の車両用前照灯１０１Ｌと対称なだけであるので、以下では、車両用前照灯１０１Ｌについてだけ説明を行うこととし、単に、車両用灯具と記載する。
【００１３】
本実施形態の車両用灯具は、車両前方側に開口したハウジング１０と開口を覆うようにハウジング１０に取付けられるアウターレンズ（図示せず）を備え、ハウジング１０とアウターレンズとで形成される灯室内に各種灯具ユニットなどが配置されている。
【００１４】
本実施形態では、ハイビームユニット２０が車両内側に配置され、ロービームユニット３０が車両外側に配置されて、ハイビームユニット２０及びロービームユニット３０の下側に、ターンランプとなる灯具ユニット４０が配置されている場合を示しているが、必ずしもハイビームユニット２０及びロービームユニット３０を設ける必要はなく、これらハイビームユニット２０及びロービームユニット３０の部分については、別の車両用灯具として構成されていても良い。
また、本実施形態では、灯具ユニット４０がターンランプである場合について示しているが、例えば、灯具ユニット４０は装飾用のランプであっても良い。
【００１５】
（灯具ユニット）
図３は、灯具ユニット４０を上から見た上面図である。
灯具ユニット４０は、３つの導光部５１、６１、及び、７１を構成するために設けられた３つの導光部材５０、６０、及び、７０と、それら導光部材５０、６０、７０、及び、光源８０を載置するベース部９０と、を備えている。
【００１６】
なお、図２では、ベース部９０や光源８０の図示を省略しているが、ベース部９０や光源８０は、図２に示す正面視で目視され難いように、例えば、ベセルやインナーパネルといった部材で隠すようにして見栄えが良くなるようにされる。
【００１７】
（ベース部）
図４は、図３のＡ−Ａ線断面図である。
図４に示すように、ベース部９０は、導光部材５０、６０、７０を配置する底部９１と、底部９１からほぼ直角に鉛直方向に折り曲げられた光源８０を配置する縦壁部９２と、を備えており、縦壁部９２には、光源８０を固定するためのネジ固定孔（図示せず）が設けられている。
なお、本実施形態では、底部９１と縦壁部９２が一体形成されている場合について示しているが、底部９１に対して縦壁部９２を構成する別部材を取付けるような構成であっても良い。
【００１８】
本実施形態では、ベース部９０に光源８０が配置されるようになっているため、光源８０の発生する熱を効率的に放熱できるように、ベース部９０は熱伝導率の高い金属（例えば、アルミニウム）や樹脂材料を用いて形成されるのが好適である。
【００１９】
（光源）
本実施形態の光源８０は、図３に示すように、例えば、１つの共通基板８１に３つの発光チップ８２を設けたＬＥＤ型光源である。
但し、本実施形態では発光チップ８２にＬＥＤチップを用いているが、これに限定される必要はなく、例えば、半導体レーザチップやＥＬ（有機ＥＬ）チップを用いるようにしても良い。
つまり、光源の種類は、ＬＥＤ型光源に限られるものではなく、レーザ型光源やＥＬ型光源を用いるようにしても良い。
【００２０】
また、本実施形態では、共通基板８１に３つの発光チップ８２を設けるようにしているが、基板を共通基板８１とする必要はなく、それぞれの発光チップ８２毎に基板を設けるようにしても良い。
但し、部品点数の削減等の観点からすると、本実施形態のように、共通基板８１を用いるようにするのが好ましい。
【００２１】
発光チップ８２は、導光部５１、６１、及び、７１のそれぞれの光入射部５２、６２、及び、７２に対して光を入射させるように、光入射部５２、６２、及び、７２となる導光部材５０、６０、及び、７０（導光部５１、６１、及び、７１）のそれぞれの一方側の端部に対向するように配置されている。
【００２２】
本実施形態では、導光部材５０、６０、及び、７０（導光部５１、６１、及び、７１）のそれぞれの一方側の端部に対して、それぞれ１つずつ発光チップ８２を対向させるように配置しているが、例えば、導光部材５０の一方側の端部に対して複数の発光チップがセットとして対向するように配置され、導光部材６０や７０の一方側の端部に対しても複数の発光チップをセットとして対向させるように配置しても良い。
【００２３】
また、共通基板８１には、ネジ（図示せず）を通すネジ孔（図示せず）が、上述したベース部９０の縦壁部９２のネジ固定孔（図示せず）に対応して設けられており、共通基板８１のネジ孔にネジを通してベース部９０の縦壁部９２のネジ固定孔にネジを螺合することで光源８０が縦壁部９２に固定できるようになっている。
【００２４】
（導光部材）
導光部材は、例えば、アクリル系樹脂やポリカーボネート系樹脂などの光を透過する樹脂材料を用いて形成され、例えば、導光部材は、接着剤や両面テープ等の固定手段によって、ベース部９０の底部９１に固定される。
なお、導光部材に係止突起を形成し、その係止突起を係止する係止孔を底部９１に設けるようにしても、導光部材をベース部９０に固定することが可能である。
【００２５】
本実施形態では、３つの導光部５１、６１、及び、７１を構成するために、３つの導光部材５０、６０、及び、７０を用いているが、必ずしも３つの導光部材を用いるようにする必要はない。
後ほど説明するが、例えば、導光部５１、６１、及び、７１が、連結部で繋がるように一体形成された３つの導光部を有する導光部材であっても良い。
【００２６】
また、本実施形態では、３つの導光部５１、６１、及び、７１の場合を示しているが、導光部の数は複数（２以上）であればよく、導光部を４つにしたり、５つにしたりしても良い。
なお、導光部を増やす場合には、それに対応して発光チップ８２の数も増やすようにする。
【００２７】
図３に示すように、それぞれの導光部５１、６１、及び、７１には、光を拡散する光拡散構造（拡散プリズム）５３、６３、及び、７３を導光部５１、６１、及び、７１の一部に形成することで、光の導光範囲の一部に光を前方に照射する光照射部が設けられているようになっている。
【００２８】
より具体的には、それぞれの導光部５１、６１、及び、７１の車両後側に位置する面の長さ方向（光導光方向）の一部に微細な凹凸を形成することで光拡散構造（拡散プリズム）５３、６３、及び、７３を形成するようにしている。
【００２９】
そして、光源８０から導光部５１、６１、及び、７１に入射した光が、導光部５１、６１、及び、７１内を導光して光拡散構造（拡散プリズム）５３、６３、及び、７３が形成されている部分に到達すると、その導光している光の一部が光拡散構造（拡散プリズム）５３、６３、及び、７３で拡散されて臨界角を超えるようになり、この臨界角を超えた光が前方に向かって照射される。
【００３０】
このため、導光部５１、６１、及び、７１において、光拡散構造（拡散プリズム）５３、６３、及び、７３で光が拡散されて前方に光が出射する部分だけが発光して見え、そうでない部分は発光したようには見えない。
【００３１】
次に、導光部５１、６１、及び、７１の構成を、さらに、説明しながら、このような構成からなる灯具ユニット４０を備える車両用灯具の配光制御について合わせて説明する。
【００３２】
図３に示すように、導光部５１の光照射部、つまり、導光部５１の光拡散構造（拡散プリズム）５３が設けられた部分は、導光部６１、及び、７１の光照射部、つまり、導光部６１、及び、７１の光拡散構造（拡散プリズム）６３及び７３が設けられた部分と、光が導光する長さ方向で形成する位置が異なるため、正面視で見たときに、重ならないようになっている。
【００３３】
また、導光部６１も同様に、導光部６１の光照射部（光拡散構造（拡散プリズム）６３が設けられた部分）が、正面視で、導光部５１、及び、７１の光照射部（光拡散構造（拡散プリズム）５３及び７３が設けられた部分）と重ならないようになっている。
【００３４】
さらに、導光部７１も同様に、導光部７１の光照射部（光拡散構造（拡散プリズム）７３が設けられた部分）が、正面視で、導光部５１、及び、６１の光照射部（光拡散構造（拡散プリズム）５３及び６３が設けられた部分）と重ならないようになっている。
【００３５】
つまり、複数の導光部（導光部５１、６１、及び、７１）のそれぞれの光照射部（光拡散構造（拡散プリズム）５３、６３、及び７３が設けられた部分）が、正面視で、他の導光部の光照射部と重ならないように配置されるようになっている。
【００３６】
一方、複数の導光部（導光部５１、６１、及び、７１）は、正面視で重なるように配置されており、図２に示すように、正面視で見ると、１つの導光部だけのように見えるようになっている。
【００３７】
このように、複数の導光部（導光部５１、６１、及び、７１）が正面視で重なるように配置されていても、それぞれの光照射部（光拡散構造（拡散プリズム）５３、６３、及び７３が設けられた部分）が重ならないようになっているため、後方側に配置されている各光照射部から前方に照射される光が、他の光照射部で拡散されることなく、前方に照射されるようになっている。
【００３８】
より具体的に、１つの導光部だけのように見える導光部がどのように発光して見えるのかについて、図５を参照しながら、その発光のさせ方等を説明する。
なお、以下では、正面視で重なって仮想的に１つの導光部のように見えている状態の導光部のことを導光部ＬＧと記載することにし、個別の導光部について言及する場合には、今まで通り、導光部５１、６１、７１の表現を用いる。
【００３９】
先ず、導光部５１に対応する光源８０の発光チップ８２を点灯させると、導光部５１の光照射部から前方に照射された光が、導光部６１及び７１を透過して、前方に照射されるので重なって配置されていることで１つのように見える導光部ＬＧの車両内側の一部だけが光っているように見える（図５（ａ）のハッチング部参照）。
【００４０】
続いて、導光部６１に対応する光源８０の発光チップ８２を点灯させると、導光部６１の光照射部から前方に照射された光が、導光部７１を透過して、前方に照射されるので、１つのように見える導光部ＬＧは、さらに車両外側の範囲までが光って見えることになる（図５（ｂ）のハッチング部参照）。
【００４１】
さらに、導光部７１に対応する光源８０の発光チップ８２を点灯させると、導光部７１の光照射部から前方に照射された光が、前方に照射されるので、１つのように見える導光部ＬＧがさらに外側の範囲まで光って見えるようになり、導光部ＬＧの光照射部の範囲全体が光って見える状態になる（図５（ｃ）のハッチング参照）。
【００４２】
このように、光源８０の発光チップ８２を車両内側に配置される光照射部に対応した発光チップ８２から順番に車両外側に配置される光照射部に対応した発光チップ８２を点灯するように制御すると、１つのように見える導光部ＬＧの発光状態は、順次、図５（ａ）→（ｂ）→（ｃ）のようになるので、従来のように、光源や導光部材を移動させるような構成を設けなくても、光が車両内側から外側に向かって発光範囲が広がるように発光し、光が車両内側から外側に向かって流れるかのような演出をすることが可能となる。
【００４３】
ところで、本実施形態のように、灯具ユニット４０がターンランプである場合には、そのターンランプが点灯している方向に車両がターンすることを示すことになるが、図６に示すように、図５を用いて説明してきた車両内側から車両外側へ流れるように見えるその光の流れ方向は、車両がターンランプを点灯させることで歩行者や対向車のドライバに対して示そうとしているターン方向と一致している。
なお、図６では、左右の車両用灯具のどちらであっても、車両内側から車両外側への光の流れ方向がターン方向と一致することがわかるように、右側の車両用灯具の正面図も合わせて示している。
【００４４】
したがって、図５で説明したように、車両内側から車両外側に向かって導光部の発光範囲が広がるように演出をすることで、歩行者や対向車のドライバは直感的なイメージとしてもターンする方向を理解することができるようになるため、より好適なターンランプとすることができる。
【００４５】
一方、導光部５１に対応する発光チップ８２を消灯して、導光部６１に対応する発光チップ８２を点灯し、さらに、導光部６１に対応する発光チップ８２を消灯して、導光部７１に対応する発光チップ８２を点灯するようにしても、車両内側から車両外側に向かって光が流れるかのような演出をすることが可能である。
【００４６】
しかしながら、そのようにすると、１つのように見える導光部ＬＧの一部だけが光っている状態となるため、図５を参照して説明したように、発光する範囲が広がるように制御される場合と比べ、視認性が低くなると考えられる。
【００４７】
したがって、灯具ユニット４０が装飾用のランプである場合には、そのようにしても良いが、ターンランプである場合には、図５で説明したような発光チップ８２の点灯のさせ方の方が好ましい。
【００４８】
また、図５（ｃ）に示すように、１つのように見える導光部ＬＧの光照射部の全ての範囲が発光状態になったら、一旦、全ての発光チップ８２を消灯して、再び、図５を参照して説明したように、１つのように見える導光部ＬＧを図５（ａ）→（ｂ）→（ｃ）のように発光させるようにすることを繰り返すのが好適である。
【００４９】
例えば、導光部ＬＧの全ての光照射部の範囲が発光している状態（以下、全発光状態ともいう）のときに、初めて、導光部ＬＧが発光していることを認識した歩行者や対向車のドライバは、全発光状態に至るまでの光の流れるような発光状態を見ていないので、光が流れるような発光制御を１回だけしか行わないとすると、全発光状態のときに、初めて、導光部ＬＧが発光していることを認識した歩行者や対向車のドライバに対しては、光の流れによる直観的なターン方向のイメージを与えることができないことになる。
【００５０】
しかしながら、上述したように、導光部ＬＧの全ての光照射部の範囲が発光している状態になった後に、再び、全ての発光チップ８２を消灯して、もう一度、図５で説明した発光制御を初めから行い、この一連の発光制御を繰り返し続けるようにすれば、全発光状態のときに、初めて、導光部ＬＧが発光していることに気付いた歩行者や対向車のドライバであっても、次回の発光制御のときに、光の流れるような発光状態を見ることになるので、光の流れによる直観的なターン方向のイメージを与えることができるようになる。
【００５１】
さらに、複数の光照射部（光拡散構造（拡散プリズム）５３、６３、及び７３が設けられた部分）は、車両内側から車両外側に向かって、且つ、車両前後方向に並ぶように配置するのが好適である。
【００５２】
このようにすると、車両の正面側から車両の側面側に向かって光照射部（光拡散構造（拡散プリズム）５３、６３、及び７３が設けられた部分）が設けられることになるので、前方斜め方向に向かっても光が照射されることになり、灯具ユニット４０の発光状態が視認出来る範囲を車両外側に広げることができるので、視認性をより高くすることができる。
【００５３】
ところで、灯具ユニット４０の光照射部を設けるにあたっては、図７に示すように、正面視で、全ての光照射部（光拡散構造（拡散プリズム）５３、６３、及び７３が設けられた部分）を見たときに、最も水平方向で長くなる長さＸ’を相対長さ１０としたときに、鉛直方向の最も長い相対長さＹ’が６以下となる縦横の比率となるように、全ての光照射部が配置されているのが好適である。
【００５４】
なお、鉛直方向の最も長い相対長さＹ’が小さくなりすぎると、視認性が低下する可能性があるため、鉛直方向の最も長い相対長さＹ’は、最も水平方向で長くなる長さＸ’を相対長さ１０としたときに、１以上の相対長さを有していることが好適であると考えられる。
【００５５】
このようにすると、発光する範囲が鉛直方向よりも水平方向に長くなるため、上述した光が流れるような演出をしたときに、より光が流れているかのような印象を与えることができるので好適である。
【００５６】
上記では、３つの導光部５１、６１、及び、７１を構成するために、３つの導光部材５０、６０、及び、７０を用いているが、図８に示すように、導光部５１、６１、及び、７１が、連結部Ｃで繋がるように一体形成された３つの導光部を有する導光部材であっても良い。
このようにすれば、導光部５１、６１、７１をそれぞれ別の導光部材５０、６０、７０で構成する場合に比べ、一体化されていることで部品点数が減ることとなり、実装作業等が行い易くなるので好適である。
【００５７】
より具体的には、一体形成の導光部材とする場合、導光部５１、６１、及び、７１の光照射部でない部分（光拡散構造５３、６３、及び、７３が形成されていない部分）で隣接する導光部間（導光部５１と導光部６１の間、導光部６１と導光部７１の間）を繋げるように導光部５１、６１、及び、７１に一体形成した連結部Ｃを備えるようにすればよい。
【００５８】
このような連結部Ｃを設ける場合には、図８の導光部５１と導光部６１の間の連結部Ｃを参照して説明すると、連結部Ｃは、光照射部（光拡散構造が形成された部分）が車両外側に配置される導光部６１の方が、光照射部（光拡散構造が形成された部分）が車両内側に配置される導光部５１よりも光入射部に近い位置に繋がるように形成されているようにすることが好適である。
【００５９】
つまり、図８では、連結部Ｃの導光部５１と導光部６１との繋がり部分の位置を見ると、導光部６１の方が光照射部が車両外側に配置されているので、連結部Ｃの導光部６１に繋がる部分の位置が導光部５１に繋がる部分の位置よりも光の導光する方向で見て、光入射部５２、６２側に形成されている。
【００６０】
このようにしておくと、導光部５１に入射する光が、連結部Ｃを通じて導光部６１に入射することがないので、導光部５１に対応する発光チップ８２を点灯した時に、導光部６１の光照射部が発光して、図５（ａ）に示した発光状態にしたいにもかかわらず、図５（ｂ）のような発光状態になってしまうことが防止される。
【００６１】
一方で、図８に示す連結部Ｃの場合、導光部６１に入射する光については、連結部Ｃを通じて導光部５１に入射する場合があるが、導光部６１に対応する発光チップ８２を発光させるときには、既に、導光部５１に対応する発光チップ８２が発光状態にあるので連結部Ｃを通じて導光部６１側の光が導光部５１側に入射したとしても何の問題もない。
【００６２】
このことは、導光部６１と導光部７１の間でも同様であるので、図７に示すように、導光部６１と導光部７１の間の連結部Ｃも、導光部７１側の方が光入射部７２に近い位置に繋がるように形成するのが好適である。
【００６３】
また、本実施形態では、車両内側に光照射部が設けられている導光部５１を車両後方側に配置し、順次、光照射部が車両外側に設けられている導光部６１、７１を順次車両前方側に配置するようにしているが、この順番に限定される必要はない。
【００６４】
例えば、導光部５１を車両前方側に配置し、順次、導光部６１、７１を車両後方側に配置するようにしても、光源８０の発光チップ８２の点灯の順番を導光部５１に対応する発光チップ８２から順次導光部６１、７１に対応する発光チップ８２を点灯させるようにすれば、１つのように見える導光部ＬＧの発光状態は上述したのと同様になる。
【００６５】
さらに、本実施形態では、図３に示したように、光源８０を導光部５１、６１、７１に対して車両外側に位置するように配置しているが、光源８０を車両内側に配置するようにしても良い。
しかしながら、車両内側は、光源８０に関連する部品等を配置するスペースが確保しにくい場合が多いため、本実施形態のように、光源８０は、車両外側に配置するようにするのが好適である。
【００６６】
（第２実施形態）
図９は、第２実施形態の車両用灯具の正面図であり、図２と同様に、左側の車両用前照灯１０１Ｌを示した図であり、以下、第１実施形態と同様に単に車両用灯具と記載する。
なお、第２実施形態の説明では、主に第１実施形態と異なる点について説明し、第１実施形態と同様である部分については、説明を割愛する場合がある。
【００６７】
図９に示すように、第２実施形態の車両用灯具も車両前方側に開口したハウジング１０と開口を覆うようにハウジング１０に取付けられるアウターレンズ（図示せず）を備え、ハウジング１０とアウターレンズとで形成される灯室内に各種灯具ユニットなどが配置されている。
【００６８】
具体的には、ハイビームユニット２０が車両内側に配置され、ロービームユニット３０が車両外側に配置されているが、第２実施形態では、ロービームユニット３０が拡散配光用と集光配光用との２つで構成されるものについて示している。
【００６９】
そして、第１実施形態と同様に第２実施形態でも灯室内に配置される灯具ユニット４０が設けられているが、導光部の一部に設けられる光照射部（ハッチング部分参照）が導光部の延在方向と異なる方向に曲げるように形成されており、光照射部がハイビームユニット２０及びロービームユニット３０のそれぞれの間に位置するように設けられている点が異なる。
【００７０】
以下、灯具ユニット４０について詳細に説明する。
なお、第２実施形態の灯具ユニット４０も第１実施形態と同様にターンランプである場合として以下説明を行う。
図１０は、灯具ユニット４０の主要部を示す図であり、図１０（ａ）は上から見た上面図であり、図１０（ｂ）は図１０（ａ）のＢ−Ｂ線断面図であり、図１０（ｃ）は正面から見た正面図である。
なお、図１０（ａ）、（ｃ）のハッチング部分は、光の導光範囲の一部に設けられる光を前方に照射する光照射部の範囲を示している。
【００７１】
図１０（ａ）に示すように、第２実施形態でも、３つの導光部５１、６１、７１が設けられており、それら導光部５１、６１、７１は一部が正面視で重なるように配置されている（図１０（ｃ）参照）。
【００７２】
そして、各導光部５１、６１、７１の光を拡散する光拡散構造（拡散プリズム）５３、６３、及び、７３が形成される部分（つまり、光照射部）以外の部分の長さは、それぞれ長さが異なるように形成されている。
つまり、各導光部５１、６１、７１は、光照射部以外の部分の長さがそれぞれ異なるように形成されている。
そして、光を拡散する光拡散構造（拡散プリズム）５３、６３、及び、７３が形成される部分（つまり、光照射部）は、各導光部５１、６１、７１の光照射部以外の部分と延在方向が異なるように、光照射部以外の部分から曲げられるように形成され、各光照射部が正面視で重ならないように配置されている（図１０（ｃ）参照）。
【００７３】
第２実施形態では、図１０（ｂ）に示すように、正面視で導光部５１、６１、７１が重なる部分に連結部Ｃを設けることで、導光部５１、６１、７１が一体形成された１つの導光部材で構成されるようにしているが、連結部Ｃの厚みを薄くすることで、隣接する導光部に光が入射するのを低減するようにしている。
【００７４】
なお、本実施形態では、導光部５１、６１、７１が一体形成された場合について示しているが、一体形成されることに限定されるものではなく、それぞれの導光部５１、６１、７１を構成するために、個別に導光部材を設けるようにしても良い。
【００７５】
このように構成される灯具ユニット４０を備える車両用灯具の発光状態について図１１を参照しながら説明を行う。
先ず、図１０（ａ）に示すように、最も車両内側に配置されている光照射部に対応した発光チップ８２（つまり、導光部５１に対応する発光チップ８２）を発光させると、図１１（ａ）にハッチングで示すように、最も車両内側に配置されている光照射部だけが発光して見えるようになる。
【００７６】
次に、２番目に車両内側に配置されている光照射部に対応した発光チップ８２（つまり、導光部６１に対応する発光チップ８２）を発光させると、図１１（ｂ）にハッチングで示すように、図１１（ａ）の状態よりもさらに車両外側も発光する状態となる。
【００７７】
さらに、最も車両外側に配置されている光照射部に対応した発光チップ８２（つまり、導光部７１に対応する発光チップ８２）を発光させると、図１１（ｃ）にハッチングで示すように、さらに、車両外側が発光する状態となり、図１１（ａ）→（ｂ）→（ｃ）のように、発光部分が外側に広がっていくため、光が車両内側から車両外側に向かって流れていくような演出をすることが可能となり、第１実施形態で説明したのと同様に、歩行者や対向車のドライバが直観的にターン方向を認識できる良好なターンランプにできる。
【００７８】
そして、図１１（ｃ）のように、全ての光照射部が点灯したら、光が流れるような演出を見逃した歩行者や対向車のドライバのために、再び、全ての発光チップ８２を消灯し、図１１（ｄ）に示すように、全ての光照射部が発光していない状態としてから、もう一度、上述の発光制御を行う。
つまり、図１１（ａ）→（ｂ）→（ｃ）→（ｄ）→（ａ）→・・・としてターンランプを使用している間、図１１の発光制御の流れを繰り返し、行うようにする。
【００７９】
第２実施形態でも、光が流れるような印象がイメージしやすいようにするために、図１２に示すように、正面視で、全ての光照射部（ハッチング部分参照）を見たときに、最も水平方向で長くなる長さＸ’を相対長さ１０としたときに、鉛直方向の最も長い相対長さＹ’が６以下となる縦横の比率となるように、全ての光照射部が配置されているのが好適である。
なお、第２実施形態でも、鉛直方向の最も長い相対長さＹ’が小さくなりすぎると、視認性が低下する可能性があるため、鉛直方向の最も長い相対長さＹ’は、最も水平方向で長くなる長さＸ’を相対長さ１０としたときに、１以上の相対長さを有していることが好適であると考えられる。
【００８０】
また、第２実施形態でも側方視認性を良くするために、第１実施形態で述べたのと同様に、複数の光照射部（光拡散構造（拡散プリズム）５３、６３、及び７３が設けられた部分）は、車両内側から車両外側に向かって、且つ、車両前後方向に並ぶように配置するのが好適である。
【００８１】
以上、具体的な実施形態を基に本発明の説明を行ってきたが、本発明は、上記実施形態に限定されるものではない。
上記実施形態では、導光部材をベース部９０に配置する場合について示してきたが、導光部材はインナーパネルなどに取付けるようにしても良い。
【００８２】
また、上記実施形態では、車両用前照灯のターンランプを構成している場合を例にとって説明してきたが、車両用後照灯のターンランプを構成するようにしても良く、この場合でも、車両内側から車両外側に光が流れるような演出は、後続車のドライバから見てもターン方向に一致しているため、上述したのと同様の発光制御を行えば、後続車のドライバがターン方向を直感的に認識できる良好なターンランプとすることができる。
したがって、本発明は、フロントターンランプだけでなく、リヤランプやドアミラーに設けられるターンランプなどにも適用して良いことは言うまでもない。
【００８３】
一方、構成を変えなくても点灯させる発光チップ８２の順番を変えるように制御すれば、例えば、車両外側から車両内側に向かうような光の流れを演出するようなこともでき、いろんな光の演出が可能であるので装飾用のランプを構成するようにしても良い。
【００８４】
このように、本発明は具体的な実施形態に限定されるものではなく、技術的思想を逸脱することのない変更や改良を行ったものも発明の技術的範囲に含まれるものであり、そのことは当業者にとって特許請求の範囲の記載から明らかである。
【符号の説明】
【００８５】
１０                        ハウジング
２０                        ハイビームユニット
３０                        ロービームユニット
４０                        灯具ユニット
５０、６０、７０            導光部材
５１、６１、７１            導光部
５２、６２、７２            光入射部
５３、６３、７３            光拡散構造（拡散プリズム）
８０                        光源
８１                        共通基板
８２                        発光チップ
９０                        ベース部
９１                        底部
９２                        縦壁部
Ｃ                          連結部
１０１Ｌ、１０１Ｒ            車両用前照灯
１０２                        車両
【図１】
2017004679.tif 000003
【図２】
2017004679.tif 000004
【図３】
2017004679.tif 000005
【図４】
2017004679.tif 000006
【図５】
2017004679.tif 000007
【図６】
2017004679.tif 000008
【図７】
2017004679.tif 000009
【図８】
2017004679.tif 000010
【図９】
2017004679.tif 000011
【図１０】
2017004679.tif 000012
【図１１】
2017004679.tif 000013
【図１２】
2017004679.tif 000014